(57)【要約】【課題】より簡易な係止構造のプロテクタを提供すること。【解決手段】プロテクタ５は、底板部１１と先端側縁部から切り込まれたスリット部３を有する一対の側壁部１２とを備える第一プロテクタ部材１と、蓋部２１と蓋部２１から垂下して形成された部分からスリット部３に突出して形成された突出部を含む垂壁部２３とを備える第二プロテクタ部材２と、を備える。スリット部３は、側壁部１２の先端側に形成された幅狭部３１と幅狭部３１の底板部１１側に連なって形成され幅狭部３１の幅寸法よりも幅寸法の大きい幅広部３２とを含む。垂壁部２３の突出部は、スリット部３の幅狭部３１よりも厚み寸法が大きく、側壁部１２のスリット部３における幅広部３２に挿通されている。【選択図】図１
2016012987.tif 000002
【特許請求の範囲】
【請求項１】
電線を保護するプロテクタであって、
底板部と前記底板部から間隔を空けて起立して形成され先端側縁部から切り込まれたスリット部を有する一対の側壁部とを備える第一プロテクタ部材と、
前記底板部に対向する蓋部と前記蓋部から垂下して形成された部分から前記スリット部に突出して形成された突出部を含む垂壁部とを備える第二プロテクタ部材と、を備え、
前記スリット部は、前記側壁部の先端側に形成された幅狭部と前記幅狭部の前記底板部側に連なって形成され前記幅狭部の幅寸法よりも幅寸法の大きい幅広部とを含み、
前記垂壁部の前記突出部は、前記スリット部の前記幅狭部よりも厚み寸法が大きく、前記側壁部の前記スリット部における前記幅広部に挿通されている、プロテクタ。
【請求項２】
請求項１に記載のプロテクタであって、
前記第二プロテクタ部材の前記垂壁部は、前記側壁部の内側面に沿って形成された内側延出部をさらに含む、プロテクタ。
【請求項３】
請求項２に記載のプロテクタであって、
前記第二プロテクタ部材の前記垂壁部の前記内側延出部が、一対の前記側壁部間に形成されており、
前記内側延出部には、前記電線を挿通可能な貫通孔部が形成されている、プロテクタ。
【請求項４】
請求項１から請求項３のいずれか１項に記載のプロテクタであって、
前記第二プロテクタ部材の前記垂壁部は、前記側壁部の外側面に沿って形成された外側延出部をさらに含む、プロテクタ。
【請求項５】
請求項２又は請求項３に記載のプロテクタであって、
前記内側延出部の先端部に前記側壁部側に突出した突起部が形成されており、
前記側壁部の前記スリット部よりも前記底板部側に、前記突起部が挿入された突起部用孔部が形成されている、プロテクタ。
【請求項６】
請求項４に記載のプロテクタであって、
前記外側延出部の先端部に前記側壁部側に突出した突起部が形成されており、
前記側壁部の前記スリット部よりも前記底板部側に、前記突起部が挿入された突起部用孔部が形成されている、プロテクタ。
【請求項７】
請求項１から請求項６のいずれか１項に記載のプロテクタであって、
複数の板状部分と複数の前記板状部分の間に形成された介在部分とを含む中空構造を有する板部材で形成されている、プロテクタ。
【発明の詳細な説明】
【技術分野】
【０００１】
本発明は、電線を保護する技術に関する。
【背景技術】
【０００２】
自動車等の車両に搭載されるワイヤーハーネスにおいて、電線が、例えば、特許文献１に示されるようなプロテクタにより保護される。
【０００３】
特許文献１に示されるプロテクタは、合体状態で電線を挿通収容可能な収容体を構成する第１プロテクタ部材と第２プロテクタ部材とを備えている。
【０００４】
特許文献１に示されるプロテクタにおいては、第１プロテクタの側壁部と側壁部に間隔を空けて対向する補助壁部との間に、第２プロテクタ部材の挿入部が挿入される。この場合、側壁部及び補助壁部の少なくとも一方に形成された被係止部と挿入部に形成された係止部とが係止することにより、第１プロテクタ部材と第２プロテクタ部材との合体状態が維持される。
【先行技術文献】
【特許文献】
【０００５】
【特許文献１】特開２０１１−２３４４７４号公報
【発明の概要】
【発明が解決しようとする課題】
【０００６】
しかしながら、例えば、特許文献１に示されるプロテクタの係止構造においては、側壁部の外側にさらに補助壁部を設ける必要がある。そのため、より簡易な係止構造を有するプロテクタが求められている。
【０００７】
本発明は、より簡易な係止構造のプロテクタを提供することを目的とする。
【課題を解決するための手段】
【０００８】
第１態様に係るプロテクタは、電線を保護するプロテクタであって、底板部と前記底板部から間隔を空けて起立して形成され先端側縁部から切り込まれたスリット部を有する一対の側壁部とを備える第一プロテクタ部材と、前記底板部に対向する蓋部と前記蓋部から垂下して形成された部分から前記スリット部に突出して形成された突出部を含む垂壁部とを備える第二プロテクタ部材と、を備え、前記スリット部は、前記側壁部の先端側に形成された幅狭部と前記幅狭部の前記底板部側に連なって形成され前記幅狭部の幅寸法よりも幅寸法の大きい幅広部とを含み、前記垂壁部の前記突出部は、前記スリット部の前記幅狭部よりも厚み寸法が大きく、前記側壁部の前記スリット部における前記幅広部に挿通されている。
【０００９】
第２態様に係るプロテクタは、第１態様に係るプロテクタの一態様である。第２態様に係るプロテクタにおいては、前記第二プロテクタ部材の前記垂壁部は、前記側壁部の内側面に沿って形成された内側延出部をさらに含む。
【００１０】
第３態様に係るプロテクタは、第２態様に係るプロテクタの一態様である。第３態様に係るプロテクタにおいては、前記第二プロテクタ部材の前記垂壁部の前記内側延出部が、一対の前記側壁部間に形成されており、前記内側延出部には、前記電線を挿通可能な貫通孔部が形成されている。
【００１１】
第４態様に係るプロテクタは、第１態様から第３態様のいずれかに係るプロテクタの一態様である。第４態様に係るプロテクタにおいては、前記第二プロテクタ部材の前記垂壁部は、前記側壁部の外側面に沿って形成された外側延出部をさらに含む。
【００１２】
第５態様に係るプロテクタは、第２態様又は第３態様に係るプロテクタの一態様である。第５態様に係るプロテクタにおいては、前記内側延出部の先端部に前記側壁部側に突出した突起部が形成されており、前記側壁部の前記スリット部よりも前記底板部側に、前記突起部が挿入された突起部用孔部が形成されている。
【００１３】
第６態様に係るプロテクタは、第４態様に係るプロテクタの一態様である。第６態様に係るプロテクタにおいては、前記外側延出部の先端部に前記側壁部側に突出した突起部が形成されており、前記側壁部の前記スリット部よりも前記底板部側に、前記突起部が挿入された突起部用孔部が形成されている。
【００１４】
第７態様に係るプロテクタは、第１態様から第６態様のいずれかに係るプロテクタの一態様である。第７態様に係るプロテクタは、複数の板状部分と複数の前記板状部分の間に形成された介在部分とを含む中空構造を有する板部材で形成されている。
【発明の効果】
【００１５】
上記の各態様において、第一プロテクタ部材の側壁部には、先端側縁部から切り込まれたスリット部が形成されている。そして、スリット部は、側壁部の先端側に形成された幅狭部と幅狭部の底板部側に連なって形成され幅狭部の幅寸法よりも幅寸法の大きい幅広部とを含む。また、第二プロテクタ部材の垂壁部の突出部は、スリット部の幅狭部よりも厚み寸法が大きく形成されている。この場合、第二プロテクタ部材の突出部が、側壁部の先端側からスリット部内に通される。そして、第二プロテクタ部材の突出部がスリット部の幅狭部を通過しスリット部の幅広部内へと通される。ここで、突出部の厚み寸法は、スリット部の幅寸法よりも大きい。従って、スリット部の幅広部に挿通された状態の突出部が、幅狭部側へと抜けてしまうことが抑制される。即ち、第二プロテクタ部材の突出部が第一プロテクタ部材のスリット部の幅広部に挿通されることにより、第一プロテクタ部材と第二プロテクタ部材との合体状態が維持される。上記の各態様においては、側壁部の外側にさらに補助壁部を設ける必要がなく、より簡易な係止構造のプロテクタを提供することができる。
【００１６】
また、上記の第２態様において、第二プロテクタ部材の垂壁部は、側壁部の外側面に沿って形成された外側延出部をさらに含む。この場合、外側延出部が側壁部の外側面に接触する。そのため、第二プロテクタ部材が一対の側壁部が対向する方向に移動することを抑制できる。
【００１７】
また、上記の第３態様において、第二プロテクタ部材の垂壁部は、側壁部の内側面に沿って形成された内側延出部をさらに含む。この場合、内側延出部が側壁部の内側面に接触する。そのため、第二プロテクタ部材が一対の側壁部が対向する方向に移動することを抑制できる。
【００１８】
また、上記の第４態様において、第二プロテクタ部材の垂壁部の内側延出部が、一対の側壁部の内側に沿って形成された部分を含み、内側延出部に、電線を挿通可能な貫通孔部が形成されている。この場合、電線が内側延出部の貫通孔部を挿通した状態で、第一プロテクタ部材と第二プロテクタ部材とが合体したプロテクタで保護することは可能となる。
【００１９】
また、上記の第５態様において、内側延出部の先端部に側壁部側に突出した突起部が形成されている。そして、側壁部のスリット部よりも底板部側に、突起部が挿入された突起部用孔部が形成されている。この場合、突起部と突起部用孔部との係止構造により、第一プロテクタ部材と第二プロテクタ部材との合体状態をより強固にすることができる。
【００２０】
また、上記の第６態様において、外側延出部の先端部に側壁部側に突出した突起部が形成されている。そして、側壁部のスリット部よりも底板部側に、突起部が挿入された突起部用孔部が形成されている。この場合、突起部と突起部用孔部との係止構造により、第一プロテクタ部材と第二プロテクタ部材との合体状態をより強固にすることができる。
【００２１】
また、上記の第７態様において、プロテクタは、複数の板状部分と複数の板状部分の間に形成された介在部分とを含む中空構造を有する板部材で形成されている。このようなプロテクタに、例えば、従来のような複雑な係止構造を適用すると、作りにくい等の不都合が懸念される。第７態様においては、突出部とスリット部との簡易な係止構造を採用することにより、中空構造の板部材が折り曲げられて形成されるプロテクタを容易に作ることができる。
【図面の簡単な説明】
【００２２】
【図１】第１実施形態に係るプロテクタの斜視図である。
【図２】第１実施形態に係るプロテクタの断面図である。
【図３】第１実施形態に係るプロテクタの側面図である。
【図４】第１実施形態に係るプロテクタの第一プロテクタ部材の展開平面図である。
【図５】第１実施形態に係るプロテクタの第一プロテクタ部材の展開斜視図である。
【図６】第１実施形態に係るプロテクタの第二プロテクタ部材の展開平面図である。
【図７】第１実施形態に係るプロテクタの第二プロテクタ部材の斜視図である。
【図８】第２実施形態に係るプロテクタの断面図である。
【図９】第２実施形態に係るプロテクタの側面図である。
【発明を実施するための形態】
【００２３】
以下、添付の図面を参照しながら、本発明の実施形態について説明する。以下の実施形態は、本発明を具現化した一例であり、本発明の技術的範囲を限定する事例ではない。
【００２４】
＜第１実施形態＞
まず、図１〜７を参照しつつ、第１実施形態に係るプロテクタ５の構成について説明する。プロテクタ５は、電線９を保護する。プロテクタ５は、第一プロテクタ部材１と第二プロテクタ部材２とを備える。
【００２５】
図１は、プロテクタ５の斜視図である。図１には、電線９を収容した状態のプロテクタ５が示されている。図２は、プロテクタ５の正面図である。図２には、電線９を収容した状態のプロテクタ５の正面図が示されている。図３は、プロテクタ５の側面図である。図３において、電線９は省略されている。
【００２６】
電線９は、例えば、銅又はアルミニウムなどを主成分とする導体と、その導体の周囲を覆う絶縁被覆と、を有する絶縁電線である。図１では、電線９は、簡略化して描かれている。例えば、複数の電線９の周囲を一括してプロテクタ５が覆い保護する場合或いは１本の電線９の周囲をプロテクタ５は覆い保護する場合等が考えられる。また、プロテクタ５が、電線９の全長に亘って保護する場合も考えられる。
【００２７】
＜プロテクタ＞
プロテクタ５は、第一プロテクタ部材１と第二プロテクタ部材２とを備える。図４は、第一プロテクタ部材１の展開平面図である。図５は、第一プロテクタ部材１の展開斜視図である。図６は、第二プロテクタ部材２の展開平面図である。図７は、第二プロテクタ部材２の斜視図である。
【００２８】
また、本実施形態において、プロテクタ５は、複数の板状の板状部分１０１と複数の板状部分１０１の間に形成された介在部分１０２とを含む中空構造を有する板部材により形成されている。本実施形態では、図５，７に示されるように、第一プロテクタ部材１及び第二プロテクタ部材２が、複数の板状の板状部分１０１と複数の板状部分１０１の間に形成された介在部分１０２とを含む中空構造を有する板部材が折り曲げられることにより形成されている。
【００２９】
本実施形態において、プロテクタ５は、樹脂材料で形成された板部材が折り曲げられて形成された部材である。例えば、板部材が、ポリプロピレン等の樹脂材料で形成されたプラダンである場合が考えられる。即ち、本実施形態では、板部材は、段ボール構造を有し、この段ボールの材料が樹脂製の材料に置き換えられた部材である。
【００３０】
本実施形態において、板部材は、２つの板状部分１０１と、板状部分１０１の間に介在する複数の介在部分１０２と、を備える。また、本実施形態の２つの板状部分１０１と複数の介在部分１０２とを備える板部材は、はしご状断面を有する形状に形成されている。
【００３１】
本実施形態では、板状部分１０１は、平板状に形成されている。そして、複数の板状部分１０１は、互いに間隔を空けた状態で複数の介在部分１０２を介して連結されている。
【００３２】
複数の介在部分１０２のそれぞれは、細長い板状に形成されており、相互間に間隔をあけた並列状態で複数の板状部分１０１の間に設けられている。各介在部分１０２の延在方向は、互いに平行な位置関係にある。各介在部分１０２は、湾曲していてもよいし、所定の角度を成して曲っていてもよい。図３〜６に示される例では、各介在部分１０２は、両側の板状部分１０１に対して直交する姿勢で、両側の板状部分１０１の間に挟み込まれた状態で、両側の板状部分１０１と一体的に形成されている。
【００３３】
このような板部材は、例えば、はしご状断面に応じた押出孔から樹脂を押出す押出成型装置によって、連続的に製造することができる。本実施形態では、板部材を容易に低コストで製造することができる。
【００３４】
なお、便宜上、中空構造の板部材の板状部分１０１及び介在部分１０２は、図５，７の一部にのみ示しており、それ以外の図面では、省略している。
【００３５】
＜プロテクタ：第一プロテクタ部材＞
第一プロテクタ部材１は、底板部１１と一対の側壁部１２とを備える。
【００３６】
底板部１１は、板状の部分であり、電線９を一の方向から支える。本実施形態では、底板部１１は、直線経路に沿って配線される電線９を一の方向から支える。即ち、底板部１１は、直線状に形成されている。なお、底板部１１が、曲線経路に沿って配線される電線９を一の方向から支える場合も考えられる。この場合、底板部１１は、曲線状に形成されていることが考えられる。
【００３７】
一対の側壁部１２は、底板部１１から間隔を空けて起立して形成された板状の部分である。底板部１１及び一対の側壁部１２は、電線９の少なくとも一部を収容可能な溝１０を形成する。また、一対の側壁部１２は、先端側縁部から切り込まれたスリット部３を有する。
【００３８】
スリット部３は、側壁部１２の先端側に形成された幅狭部３１と幅狭部３１の底板部１１側に連なって形成され幅狭部３１の幅寸法よりも幅寸法の大きい幅広部３２とを含む。
【００３９】
本実施形態では幅狭部３１は、側壁部１２の先端側の縁部から切り込まれた一筋のスリットである。即ち、幅狭部３１は、幅を持たない一筋の切れ目である。なお、本実施形態では、スリット部３の幅狭部３１のうち側壁部１２の先端側の部分の幅は、側壁部１２の先端側に向かうにつれ順次広がっている。例えば、スリット部３の幅狭部３１のうち側壁部１２の先端側の部分の幅が、直線的に広がる場合或いは曲線的に広がる場合が考えられる。
【００４０】
また、幅広部３２は、幅狭部３１の底板部１１側に連なって形成され幅狭部３１よりも幅寸法の大きい矩形状の孔である。
【００４１】
なお、スリット部３の幅寸法は、一対の側壁部１２における底板部１１側から先端側へ向かう方向と一対の側壁部１２が対向する方向との両方の方向に直交する方向におけるスリット部３の寸法である。この方向を幅方向と称すると、本実施形態では、幅方向は、直線状に形成された底板部１１の長手方向に重なる。
【００４２】
また、側壁部１２における底板部１１側から先端側へ向かう方向におけるスリット部３の幅広部３２の寸法を、以下、長手寸法と称する。
【００４３】
また、幅狭部３１が、幅を持つスリットである場合も考えられる。また、幅広部３２が、矩形状以外の形状、例えば、正方形状、楕円形状或いは角丸長方形状に形成されている場合等も考えられる。
【００４４】
第一プロテクタ部材１は、例えば、図４，５に示されるような板部材を折り曲げることにより形成される。図４，５に示されるように、第一プロテクタ部材１を形成する板部材は、底板部１１を形成する領域１１Ｘとこの底板部１１を形成する領域１１Ｘの両側に設けられた一対の側壁部１２を形成する領域１２Ｘとを含んでいる。そして、一対の側壁部１２を形成する領域１２Ｘには、スリット部３が形成されている。この板部材は、底板部１１を形成する領域１１Ｘに対し起立するように一対の側壁部１２を形成する領域１２Ｘが折り曲げられる。これにより、第一プロテクタ部材１が得られる。
【００４５】
＜プロテクタ：第二プロテクタ部材＞
第二プロテクタ部材２は、蓋部２１と垂壁部２３とを備える。
【００４６】
蓋部２１は、板状の部分である。プロテクタ５において、蓋部２１は底板部１１と対向する。また、プロテクタ５が電線９の収容する状態においては、蓋部２１は、底板部１１に電線９を介して対向する。
【００４７】
本実施形態において、蓋部２１は、一対の側壁部１２間を塞ぐ部分である。例えば、第一プロテクタ部材１と第二プロテクタ部材２との合体状態において、蓋部２１の長手方向に沿う一対の外縁部は、それぞれ一対の側壁部１２に対向する。
【００４８】
垂壁部２３は、蓋部２１から垂下して形成された部分からスリット部３に突出して形成された突出部２２を含む。なお、本実施形態では、垂壁部２３は、蓋部２１に直交するように蓋部２１から垂下して形成されている。また、本実施形態において、垂壁部２３は、内側延出部２４及び外側延出部２５をさらに含んでいる。
【００４９】
本実施形態において、内側延出部２４は、側壁部１２の内側面に沿って形成された部分を含む。また、本実施形態において、内側延出部２４は、蓋部２１から垂下して形成された板状の部分である。
【００５０】
プロテクタ５において、内側延出部２４は、一対の側壁部１２間に形成されている。即ち、内側延出部２４の一方側の縁部が、一対の側壁部１２の一方側の内側面に対向し、内側延出部２４の他方側の縁部が、一対の側壁部１２の他方側の内側面に対向する。
【００５１】
また、内側延出部２４の両方の縁部からは、突出部２２が突出して形成されている。この突出部２２が側壁部１２に形成されたスリット部３に挿通される。
【００５２】
また、内側延出部２４には、電線９を挿通可能な貫通孔部２４０が形成されている。また、本実施形態では、内側延出部２４における蓋部２１に連なる部分側に対しその反対側の縁部から貫通孔部２４０に到達するスリット２４１も形成されている。本実施形態では、このスリット２４１から電線９を通すことにより、電線９が貫通孔部２４０に挿通する状態を容易に作ることができる。以下、内側延出部２４の蓋部２１に連なる部分側からその反対側の縁部に向かう方向を垂下方向と称する。
【００５３】
突出部２２は、垂下方向の側方へ内側延出部２４から突出して形成された部分である。また、突出部２２は、スリット部３の幅狭部３１よりも厚み寸法が大きい。なお、本実施形態において、突出部２２の厚み寸法は、内側延出部２４の一方の主面から他方の主面へ貫通する方向における寸法を指す。
【００５４】
本実施形態では、突出部２２の厚み寸法は、スリット部３の幅狭部３１の幅寸法よりも大きく形成されている。一方、突出部２２の厚み寸法は、スリット部３の幅広部３２の幅寸法よりも小さく形成されている。例えば、本実施形態では、スリット部３の幅広部３２に突出部２２が挿通した状態において、突出部２２ががたつかない程度に、スリット部３の幅広部３２の幅寸法よりも厚み寸法が小さい突出部２２が形成されている。
【００５５】
また、本実施形態では、上記の垂下方向における突出部２２の寸法は、スリット部３の幅広部３２の長手寸法よりも小さく形成されている。例えば、本実施形態では、スリット部３の幅広部３２に突出部２２が挿通した状態において、突出部２２ががたつかない程度に、スリット部３の幅広部３２の長手寸法よりも上記の垂下方向における突出部２２の寸法が小さい突出部２２が形成されている。
【００５６】
また、突出部２２の厚み寸法とスリット部３の幅広部３２の幅寸法とが同じである場合も考えられる。また、同様に、上記の垂下方向における突出部２２の寸法とスリット部３の幅広部３２の長手寸法とが同じである場合も考えられる。
【００５７】
また、突出部２２の厚み寸法が、スリット部３の幅広部３２の幅寸法よりも大きい場合も考えられる。また、同様に、上記の垂下方向における突出部２２の寸法が、スリット部３の幅広部３２の長手寸法よりも大きい場合も考えられる。本実施形態では、プロテクタ５は、樹脂材料の中空構造を有する板部材によって形成されている。この場合、プロテクタ５は、弾性変形可能である。そのため、スリット部３の幅広部３２の幅寸法が、弾性変形によって僅かに大きくなることが考えられる。即ち、突出部２２が、弾性変形後のスリット部３の幅広部３２に挿通可能な程度に、自然状態のスリット部３の幅広部３２の幅寸法よりも僅かに厚み寸法が大きく形成されていることが考えられる。スリット部３の幅広部３２の長手寸法の場合も同じである。
【００５８】
外側延出部２５は、一対の側壁部１２の外側面に沿って形成された部分である。本実施形態では、外側延出部２５は、上記の垂下方向の側方に向かう方向において、突出部２２のさらに外側に連なって形成されている。本実施形態において、外側延出部２５は、突出部２２に連なり底板部１１側へ垂下して形成されている部分を含む。
【００５９】
本実施形態では、垂壁部２３のうち一対の側壁部１２間に収容される部分を内側延出部２４と称している。そして、垂壁部２３のうちスリット部３に挿通されている部分を突出部２２と称している。そして、垂壁部２３のうち一対の側壁部１２の外側に形成されている部分を外側延出部２５と称している。
【００６０】
第二プロテクタ部材２は、例えば、図６に示されるような板部材を折り曲げることにより形成される。図６に示されるように、第二プロテクタ部材２を形成する板部材は、蓋部２１を形成する領域２１Ｘとこの蓋部２１を形成する領域２１Ｘの長手方向における両端部に設けられた垂壁部２３を形成する領域２３Ｘとを含んでいる。垂壁部２３を形成する領域２３Ｘには、内側延出部２４、貫通孔部２４０、スリット２４１、突出部２２及び外側延出部２５がそれぞれ形成されている。
【００６１】
そして、図７に示されるように、板部材のうち垂壁部２３を形成する領域２３Ｘが、蓋部２１を形成する領域２１Ｘに対し垂直になるように折り曲げられる。これにより、第二プロテクタ部材２が得られる。
【００６２】
＜プロテクタ：係止構造＞
本実施形態では、板部材が折り曲げられることにより得られる第一プロテクタ部材１の底板部１１及び第二プロテクタ部材２の蓋部２１が対向する状態で、第一プロテクタ部材１と第二プロテクタ部材２とが近付けられる。
【００６３】
まず、第二プロテクタ部材２の突出部２２が、第一プロテクタ部材１の一対の側壁部１２の先端側の縁部に形成されたスリット部３に挿入される。より具体的には、まず、第二プロテクタ部材２の突出部２２がスリット部３の幅狭部３１に挿入される。
【００６４】
そして、突出部２２の厚み寸法は、スリット部３の幅狭部３１の幅寸法よりも大きい。従って、突出部２２は、幅狭部３１の幅が拡大するように一対の側壁部１２の先端側の縁部を弾性変形させながら、スリット部３の幅狭部３１を通り、幅広部３２へと挿入される。なお、本実施形態では、スリット部３の幅狭部３１のうち側壁部１２の先端側の部分の幅は、側壁部１２の先端側に向かうにつれ順次広がっている。そのため、突出部２２をスリット部３の幅狭部３１に入れる作業を容易に行うことができる。
【００６５】
突出部２２は、幅狭部３１を通り、幅広部３２へ到達する。ここで、幅広部３２の幅寸法は、突出部２２の厚み寸法よりも大きい。なお、本実施形態では、上述のようにスリット部３の幅広部３２に突出部２２が挿通した状態において、突出部２２ががたつかないような厚み寸法で突出部２２が形成されている。
【００６６】
また、突出部２２の垂下方向における寸法は、スリット部３の幅広部３２の長手方向における寸法よりも小さい。なお、この垂下方向における突出部２２の寸法も、スリット部３の幅広部３２に突出部２２が挿通した状態において、突出部２２ががたつかないような寸法に決められて、突出部２２が形成されている。
【００６７】
即ち、本実施形態では、スリット部３の幅狭部３１を通過後の突出部２２全体が、スリット部３の幅広部３２内に収容される。また、突出部２２が通過後の幅狭部３１は、元の形状、即ち、突出部２２の厚み寸法よりも幅寸法が小さい形状に復帰する。このため、一度、幅広部３２内に収容された突出部２２が、幅狭部３１を通りスリット部３から抜けてしまうことが抑制される。これにより、第一プロテクタ部材１と第二プロテクタ部材２とが合体したプロテクタ５が得られる。
【００６８】
また、本実施形態では、内側延出部２４が一対の側壁部１２の内側面に接触し、第二プロテクタ部材２の一対の側壁部１２が対向する方向の移動が規制される。また、外側延出部２５が一対の側壁部１２の外側面に接触し、第二プロテクタ部材２の一対の側壁部１２が対向する方向の移動が規制される。ちなみに、本実施形態では、第二プロテクタ部材２の内側延出部２４と外側延出部２５とが、側壁部１２を挟む構造を有している。そのため、第二プロテクタ部材２の一対の側壁部１２が対向する方向の移動をより規制することができる。
【００６９】
また、電線９を第二プロテクタ部材２の貫通孔部２４０に挿通した状態で、第一プロテクタ部材１及び第二プロテクタ部材２の上記に示すような合体作業が行われる場合も考えられる。この場合、電線９を第一プロテクタ部材１の溝１０に配設する作業と第一プロテクタ部材１及び第二プロテクタ部材２の合体作業とを同時に行うことができる。なお、予め、電線９を第一プロテクタ部材１の溝１０に配設しておき、第二プロテクタ部材２の内側延出部２４のスリット２４１から貫通孔部２４０に挿通させることも考えられる。また、第一プロテクタ部材１及び第二プロテクタ部材２の合体作業の後に、電線９が第二プロテクタ部材２の貫通孔部２４０に挿通される場合も考えられる。
【００７０】
また、図１に示される例のように、第一プロテクタ部材１が、複数連結されている場合も考えられる。この場合、複数の第一プロテクタ部材１が、連結部８によって連結されていることが考えられる。図１に示される例では、連結部８は、一対の側壁部１２が対向する方向における寸法が、第一プロテクタ部材１の底板部１１よりも小さく形成された板状の部分である。なお、この部分が、例えば、曲げ変形可能に、蛇腹状に形成されている場合も考えられる。
【００７１】
＜効果＞
本実施形態において、第一プロテクタ部材１の側壁部１２には、先端側の縁部から切り込まれたスリット部３が形成されている。そして、スリット部３は、側壁部１２の先端側に形成された幅狭部３１と幅狭部３１の底板部１１側に連なって形成され幅狭部３１の幅寸法よりも幅寸法の大きい幅広部３２とを含む。また、第二プロテクタ部材２の垂壁部２３の突出部２２は、スリット部３の幅狭部３１よりも厚み寸法が大きく形成されている。この場合、第二プロテクタ部材２の突出部２２が、側壁部１２の先端側からスリット部３内に通される。そして、第二プロテクタ部材２の突出部２２がスリット部３の幅狭部３１を通過しスリット部３の幅広部３２内へと通される。ここで、突出部２２の厚み寸法は、スリット部３の幅寸法よりも大きい。従って、スリット部３の幅広部３２に挿通された状態の突出部２２が、幅狭部３１側へと抜けてしまうことが抑制される。即ち、第二プロテクタ部材２の突出部が第一プロテクタ部材１のスリット部３の幅広部３２に挿通されることにより、第一プロテクタ部材１と第二プロテクタ部材２との合体状態が維持される。本実施形態においては、側壁部１２の外側にさらに補助壁部を設ける必要がなく、より簡易な係止構造のプロテクタ５を提供することができる。
【００７２】
また、本実施形態において、内側延出部２４が側壁部１２の内側面に接触する。そのため、第二プロテクタ部材２が一対の側壁部１２が対向する方向に移動することを抑制できる。
【００７３】
また、本実施形態において、外側延出部２５が側壁部の外側面に接触する。そのため、第二プロテクタ部材２が一対の側壁部が対向する方向に移動することを抑制できる。
【００７４】
また、本実施形態において、電線９が内側延出部２４の貫通孔部２４０を挿通した状態で、第一プロテクタ部材１と第二プロテクタ部材２とが合体したプロテクタで保護することが可能となる。
【００７５】
また、本実施形態において、プロテクタ５は、複数の板状部分１０１と複数の板状部分１０１の間に形成された介在部分１０２とを含む中空構造を有する板部材で形成されている。このようなプロテクタ５に、例えば、従来のような複雑な係止構造を適用すると、作りにくい等の不都合が懸念される。本実施形態においては、突出部２２とスリット部３との簡易な係止構造を採用することにより、中空構造の板部材が折り曲げられて形成されるプロテクタ５を容易に作ることができる。
【００７６】
＜第２実施形態＞
次に、図８，９を参照しつつ、第２実施形態に係るプロテクタ５Ａについて説明する。図８は、プロテクタ５Ａの断面図である。図９は、プロテクタ５Ａの側面図である。なお、図８，９において、図１〜７に示される構成要素と同じ構成要素は、同じ参照符号が付されている。
【００７７】
プロテクタ５Ａにおいては、第二プロテクタ部材２Ａの外側延出部２５の先端部に側壁部１２側に突出した突起部４Ａが形成されている点がプロテクタ５と異なっている。また、プロテクタ５Ａにおいては、側壁部１２のスリット部３よりも底板部１１側に、突起部４Ａが挿入された突起部用孔部１４Ａが形成されている点がプロテクタ５と異なっている。以下、プロテクタ５Ａにおけるプロテクタ５と異なる点について説明する。
【００７８】
例えば、第二プロテクタ部材２Ａは、外側延出部２５の先端部が内側に曲がった形状の板部材を折り曲げることにより形成される。この場合、板部材を折り曲げることにより外側延出部２５の先端部に突起部４Ａが形成される。また、突起部４Ａが、垂下方向に沿って形成された外側延出部２５から内側延出部２４側へ折り曲げられた部分である場合も考えられる。
【００７９】
また、本実施形態では、第一プロテクタ部材１Ａの一対の側壁部１２には、突起部４Ａを収容可能な突起部用孔部１４Ａが形成されている。なお、突起部用孔部１４Ａは、貫通孔である場合又は貫通していない凹状の凹みである場合も考えられる。
【００８０】
また、突起部用孔部１４Ａの幅寸法は、突起部４Ａの厚み寸法と同じである場合、僅かに小さい場合或いは僅かに大きい場合が考えられる。また、突起部用孔部１４Ａの長手寸法も、上記垂下方向における突起部４Ａの寸法と同じである場合、僅かに小さい場合或いは僅かに大きい場合が考えられる。なお、本実施形態において、突起部用孔部１４Ａの幅寸法は、上記幅方向における突起部用孔部１４Ａの寸法である。また、突起部用孔部１４Ａの長手寸法は、側壁部１２における底板部１１側から先端側へ向かう方向における突起部用孔部１４Ａの寸法である。また、突起部４Ａの厚み寸法は、内側延出部２４の一方の主面から他方の主面へ貫通する方向における突起部４Ａの寸法である。
【００８１】
本実施形態では、第一プロテクタ部材１の底板部１１及び第二プロテクタ部材２の蓋部２１が対向する状態で、第一プロテクタ部材１と第二プロテクタ部材２とが近付けられる。
【００８２】
スリット部３の幅狭部３１を突出部２２が通過中、突起部４Ａは、側壁部１２の外側面に接触していることが考えられる。このとき、外側延出部２５の突起部４Ａが形成された側の部分が、斜めに弾性変形していることが考えられる。
【００８３】
そして、第二プロテクタ部材２の蓋部２１がさらに第一プロテクタ部材１の底板部１１に近付けられることにより、外側延出部２５の突起部４Ａが底板部１１側へ移動する。
【００８４】
やがて、スリット部３の幅広部３２内に突出部２２が収容される。このとき、外側延出部２５の突起部４Ａも、突起部用孔部１４Ａ内に収容される。例えば、弾性変形から元の形状、即ち、底板部１１側に垂直に垂下した形状に復帰する。これにより、外側延出部２５の突起部４Ａが、突起部用孔部１４Ａ内に収容される。
【００８５】
本実施形態において、突起部４Ａが、突起部用孔部１４Ａに引っ掛かることにより、第一プロテクタ部材１の底板部１１と第二プロテクタ部材２の蓋部２１とが離隔する方向に、第二プロテクタ部材２が移動することがより規制される。従って、突起部４Ａと突起部用孔部１４Ａとの係止構造により、第一プロテクタ部材１と第二プロテクタ部材２との合体状態をより強固にすることができる。
【００８６】
また、上記のような構造の突起部４Ａが、内側延出部２４の先端部に形成されている場合も考えられる。
【００８７】
＜応用例＞
連結部８が、複数の第一プロテクタ部材１を連結するテープ等であってもよい。また、複数の第一プロテクタ部材１が溶着によって連結されている場合も考えられる。
【００８８】
なお、本発明に係るプロテクタは、各請求項に記載された発明の範囲において、以上に示された各実施形態および応用例を自由に組み合わせること、或いは各実施形態および応用例を適宜、変形するまたは一部を省略することによって構成されることも可能である。
【符号の説明】
【００８９】
１  第一プロテクタ部材
１０１  板状部分
１０２  介在部分
１１  底板部
１２  側壁部
１４Ａ  突起部用孔部
１Ａ  第一プロテクタ部材
２  第二プロテクタ部材
２１  蓋部
２２  突出部
２３  垂壁部
２４  内側延出部
２５  外側延出部
２Ａ  第二プロテクタ部材
３  スリット部
３１  幅狭部
３２  幅広部
４Ａ  突起部
５  プロテクタ
５Ａ  プロテクタ
９  電線
【図１】
2016012987.tif 000003
【図２】
2016012987.tif 000004
【図３】
2016012987.tif 000005
【図４】
2016012987.tif 000006
【図５】
2016012987.tif 000007
【図６】
2016012987.tif 000008
【図７】
2016012987.tif 000009
【図８】
2016012987.tif 000010
【図９】
2016012987.tif 000011